(57)【要約】【課題】  安価な手段で両極性の出力が可能で、しかも従来のようにコイルボビンを２個並べて使用する必要がなく、高圧トランスの小型化、軽量化が図れる高圧トランスを提供する。【解決手段】  一次巻線１０の一方の側に第１高圧側巻線１１が、前記一次巻線１０の他方の側に第２高圧側巻線１２がそれぞれ施され、前記第１高圧側巻線１１と第２高圧側巻線１２は巻線方向が互いに反対になっており、前記第１高圧側巻線１１の一方の端部１１ａは第１高圧側端子３に接続され、その第１高圧側巻線１１の他方の端部１１ｂは二次側グランド端子４に接続されて、前記第２高圧側巻線１２の一方の端部１２ａは第２高圧側端子１３に接続され、その第２高圧側巻線１２の他方の端部１２ｂは二次側グランド端子４に接続されていることを特徴とする。【選択図】  図３
2006210600.tif 000002
【特許請求の範囲】
【請求項１】
一次巻線の一方の側に第１高圧側巻線が、前記一次巻線の他方の側に第２高圧側巻線がそれぞれ施され、前記第１高圧側巻線と第２高圧側巻線は巻線方向が互いに反対になっており、
前記第１高圧側巻線の一方の端部は第１高圧側端子に接続され、その第１高圧側巻線の他方の端部は二次側グランド端子に接続されて、前記第２高圧側巻線の一方の端部は第２高圧側端子に接続され、その第２高圧側巻線の他方の端部は二次側グランド端子に接続されていることを特徴とする高圧トランス。
【請求項２】
請求項１記載の高圧トランスにおいて、前記一次巻線はコイルボビンの中間鍔部に形成されたスリット内に施され、前記第１高圧側巻線は、前記中間鍔部とそれとは所定の間隔をおいて設けられた第１鍔部との間に施され、前記第２高圧側巻線は前記中間鍔部とそれとは所定の間隔をおいて前記第１鍔部とは反対側に設けられた第２鍔部との間に施され、
前記第１高圧側端子は前記第１鍔部側に植設され、前記第２高圧側端子は前記第２鍔部側に植設されていることを特徴とする高圧トランス。
【発明の詳細な説明】
【技術分野】
【０００１】
本発明は、例えば液晶表示装置の点灯用スイッチング高圧トランスなどの高圧トランスに係り、特に（＋）高圧と（−）高圧の両方の極性が簡単な構成で得られる高圧トランスに関するものである。
【背景技術】
【０００２】
図５ないし図７は従来の高圧トランスを説明するための図で、図５はその高圧トランスの平面図、図６はその高圧トランスの正面図、図７は図５Ａ−Ａ線上の断面図である。
【０００３】
従来の高圧トランスは、図７に示すように、コイルボビン５１の胴部上に一次巻線５２を施し、その上に絶縁性確保のために層間耐圧テープ５３を巻き、更にその上に二次巻線５４と層間耐圧テープ５３を交互に巻装した構造になっている。
【０００４】
前記一次巻線５２の両端部５２ａ，５２ｂは、コイルボビン５１に植設した一次側端子５５にそれぞれからげて半田で固定されている。また二次巻線５４の一方の端部５４ａはコイルボビン５１に植設した高圧側端子５６に、他方の端部５４ｂはコイルボビン５１に植設した二次側グランド端子５７に、それぞれからげて半田で固定されている。図中の５８はコア挿入穴で、円柱状をした磁性体コア（図示せず）がそのコア挿入穴５８に挿入される。
【発明の開示】
【発明が解決しようとする課題】
【０００５】
従来の高圧トランスはこのような構造になっているため、出力の極性は片方しか出せず、構造的な制限があった。両方の極性、すなわち（＋）高圧と（−）高圧の両方の極性を使用したい場合は、コイルボビンを２個並べて使用しており、そのためにスペースをとり、高圧トランスの小型化、軽量化、ひいてはその高圧トランスを使用する装置の小型化、軽量化に支障をきたすという欠点を有している。
【０００６】
本発明の目的は、このような従来技術の欠点を解消し、安価な手段で両極性の出力が可能で、しかも小型化、軽量化が図れる高圧トランスを提供することにある。
【課題を解決するための手段】
【０００７】
前記目的を達成するために本発明の第１の手段は、一次巻線の一方の側に第１高圧側巻線が、前記一次巻線の他方の側に第２高圧側巻線がそれぞれ施され、前記第１高圧側巻線と第２高圧側巻線は巻線方向が互いに反対になっており、前記第１高圧側巻線の一方の端部は第１高圧側端子に接続され、その第１高圧側巻線の他方の端部は二次側グランド端子に接続されて、前記第２高圧側巻線の一方の端部は第２高圧側端子に接続され、その第２高圧側巻線の他方の端部は二次側グランド端子に接続されていることを特徴とするものである。
【０００８】
本発明の第２の手段は前記第１の手段において、前記一次巻線はコイルボビンの中間鍔部に形成されたスリット内に施され、前記第１高圧側巻線は、前記中間鍔部とそれとは所定の間隔をおいて設けられた第１鍔部との間に施され、前記第２高圧側巻線は前記中間鍔部とそれとは所定の間隔をおいて前記第１鍔部とは反対側に設けられた第２鍔部との間に施され、前記第１高圧側端子は前記第１鍔部側に植設され、前記第２高圧側端子は前記第２鍔部側に植設されていることを特徴とするものである。
【発明の効果】
【０００９】
本発明は前述のように、一次巻線の一方の側に第１高圧側巻線が、前記一次巻線の他方の側に第２高圧側巻線がそれぞれ施され、前記第１高圧側巻線と第２高圧側巻線は巻線方向が互いに反対になっており、前記第１高圧側巻線の一方の端部は第１高圧側端子に接続され、その第１高圧側巻線の他方の端部は二次側グランド端子に接続されて、前記第２高圧側巻線の一方の端部は第２高圧側端子に接続され、その第２高圧側巻線の他方の端部は二次側グランド端子に接続されることにより、安価な手段で両極性の出力が可能で、しかも従来のようにコイルボビンを２個並べて使用する必要がなく、高圧トランスの小型化、軽量化が図れる。
【発明を実施するための最良の形態】
【００１０】
以下、図面を用いて本発明の実施の形態について説明する。図１は本発明の実施形態に係る高圧トランスの平面図、図２はその高圧トランスの正面図、図３はその高圧トランスの側面図、図４はその高圧トランスに装着されるＥ−Ｅ型磁性体コアの平面図である。
【００１１】
コイルボビン１は、一次側端子２、第１高圧側端子３、二次側グランド端子４ならびにダミー端子５などを植設した端子支持台座６と、その端子支持台座６と平行に設けられた外側鍔部７と、前記端子支持台座６と外側鍔部７との間にこれらと平行に設けられた中間鍔部８とを有している。
【００１２】
前記端子支持台座６は本発明の第1鍔部に相当し、端子支持台座６と中間鍔部８の間には所定の間隔が設けられている。前記外側鍔部７は本発明の第２鍔部に相当し、外側鍔部７と中間鍔部８の間には所定の間隔が設けられている。
【００１３】
前記中間鍔部８はその中間部にスリット９が形成され、そのスリット９内に１ターンまたは数ターン一次巻線１０が巻回され、一次巻線１０の両端１０ａ，１０ｂは一次側端子２，２にそれぞれからげて半田で固定されている。
【００１４】
図２ならびに図３に示すように、一次巻線１０の両側、すなわち前記端子支持台座６と中間鍔部８の間には第１高圧巻線１１が、中間鍔部８と外側鍔部７の間には第２高圧巻線１２が、それぞれ巻回されている。なお、第１高圧巻線１１ならびに第２高圧巻線１２のターン数は、一次巻線１０に対する変圧比に基いて設定される。
【００１５】
第１高圧巻線１１と第２高圧巻線１２は、巻き方向が互いに反対になっている。そして図１に示すように第１高圧巻線１１の一方に端部１１ａは第１高圧側端子３に、他方の端部１１ｂは一方の二次側グランド端子４に、それぞれからげて半田で固定されている。また図1ならびに図２に示すように、第２高圧巻線１２の一方の端部１２ａは外側鍔部７に植設された第２高圧側端子１３に、他方の端部１２ｂは他方の二次側グランド端子４に、それぞれからげて半田で固定されている。
【００１６】
なお、図２ならびに図３において第１高圧巻線１１と第２高圧巻線１２は断面した状態で表している。
【００１７】
図１に示すようにコイルボビン１の中央部にはコア挿入穴１４が形成されており、図４に示すＥ−Ｅ型磁性体コア１５，１５の中央脚部１６，１６がこのコア挿入穴１４に両側から挿入されて、両磁性体コア１５，１５が一体に接合されて閉磁路が形成される。図１ないし図３では図面が煩雑になるため、Ｅ−Ｅ型磁性体コア１５，１５はその外形を点線で示している。
【００１８】
本実施形態ではＥ−Ｅ型磁性体コア１５，１５を用いたが、例えばＥ−Ｉ型磁性体コアなどのように他の形状のコアを組み合わせて閉磁路を形成することもできる。
【図面の簡単な説明】
【００１９】
【図１】本発明の実施形態に係る高圧トランスの平面図である。
【図２】その高圧トランスの正面図である。
【図３】その高圧トランスの側面図である。
【図４】その高圧トランスに装着されるＥ−Ｅ型磁性体コアの平面図である。
【図５】従来の高圧トランスの平面図である。
【図６】その高圧トランスの正面図である。
【図７】図５Ａ−Ａ線上の断面図である。
【符号の説明】
【００２０】
１  コイルボビン、
２  一次側端子、
３  第１高圧側端子、
４  二次側グランド端子、
５  ダミー端子、
６  端子支持台座、
７  外側鍔部、
８  中間鍔部、
９  スリット、
１０  一次巻線、
１０ａ，１０ｂ  一次巻線の端部、
１１  第１高圧側巻線、
１１ａ，１１ｂ  第１高圧側巻線の端部、
１２  第２高圧側巻線、
１２ａ，１２ｂ  第２高圧側巻線の端部、
１３  第２高圧側端子、
１４  コア挿入穴、
１５  Ｅ−Ｅ型磁性体コア、
１６  中央脚部。
【図１】
2006210600.tif 000003
【図２】
2006210600.tif 000004
【図３】
2006210600.tif 000005
【図４】
2006210600.tif 000006
【図５】
2006210600.tif 000007
【図６】
2006210600.tif 000008
【図７】
2006210600.tif 000009